(57)【要約】【課題】電波漏洩の全く心配ない安全性の高い、簡単にドアーの開閉ができる操作性に優れた機器を提供すること。【解決手段】ドアー１の一部に設けた回転軸２ａを中心に可動するハンドル２と、ハンドル２の回転軸２ａを中心に可動する動きに連動して上下方向にスライドする凸部を有する本体とのドアーキー３と、ドアーキー３により直接・間接的にＯＮ・ＯＦＦする複数のスイッチ７・８・９を配置したドアーフック４とを備え、前記ドアーフック４に固定された１個以上のスイッチ９はドアー１と本体１２が保持された状態でＯＮ・ＯＦＦし、ドアーキー３の凸部先端のドアーフック４との係合部をドアーキー３の上下方向の摺動と略平行になるように設け、ハンドル２を引っぱることによりドアーキー３を上下方向にスライドさせドアーフック４との勘合を解除する構成としたものである。【選択図】図１
2006226566.tif 000002
【特許請求の範囲】
【請求項１】
被加熱物を調理する本体と、被加熱物を出し入れする横開きのドアーと、前記ドアーの一部に設けた回転軸を中心に可動するハンドルと、前記ハンドルの回転軸を中心に可動する動きに連動して上下方向にスライドする凸部を有する本体との勘合部材（以下、ドアーキーと称す）と、前記ドアーキーをスライド可能にするバネと、前記ドアーキーにより直接・間接的にＯＮ・ＯＦＦする複数のスイッチを配置した本体勘合部材（以下、ドアーフックと称す）とを備え、前記スイッチはドアーと本体が保持された状態でＯＮ・ＯＦＦし、ドアーキーの凸部先端とドアーフックとの係合部をドアーの上下方向の摺動と略平行になるように設け、ハンドルを引っぱることによりドアーキーを上下方向にスライドさせ本体に設けたドアーフックとの勘合を解除する構成の高周波加熱機器のドアー開閉装置。
【発明の詳細な説明】
【技術分野】
【０００１】
本発明は、高周波加熱装置の安全性を確保しながらドアー開閉力を軽くするものである。
【背景技術】
【０００２】
従来、この種の横開きドアーはハンドル部を直接引っ張って開くプル方式を採用している（例えば、特許文献１参照）。
【０００３】
図５は、特許文献１に記載された従来のプル式ドアー開閉機構を示すものである。図５に示すように、ドアー１と、ドアー１に設けたハンドル２と、ドアー１に設けたドアーキー３と、ドアーキーが係合するドアーフック４とドアーキー３によって作動されるフックスペーサー５，６と、フックスペーサーを介しＯＮーＯＦＦするスイッチ７、８、９から構成されている。
【特許文献１】特開平１１−１８２８５３号公報
【発明の開示】
【発明が解決しようとする課題】
【０００４】
しかしながら、前記従来の構成では、ドアー１のハンドル２を引っ張るとドアーキー３先端係合部の傾斜角３ａに沿って開いていく。この傾斜角度がきついとドアー１の開力は重たくなり、ゆるいと軽くなるのは言うまでもない。この傾斜角度を決定する要因はドアー１の開閉力、電波漏洩規制であるが、ドアー１の開きに対して発振を停止するスイッチ６の動作を優先させているのが現状である。ドアーキー３はバネ１０の力でフックスペーサー５，６を介しスイッチ７，８、９をＯＮさせる構造にしている。ドアーキー３はドアー１に設けた取り付け部１１に摺動可能に取り付けられている。バネ１０はスイッチ７，８，９のＯＮ荷重とドアーキーの３の摺動抵抗を考慮した荷重設定が求められる。この条件でドアー１を開けようとすると、ドアーキー３とドアーフック４の係合部４ａの摩擦抵抗、ドアー１に設けた取り付け部１１とドアーキー３の摩擦抵抗とドアー１の開方向とドアーキー３の動作方向が直行しているため分力されかなり開力が重たくなってしまうという課題を有していた。
【０００５】
本発明は、前記従来の課題を解決するもので、ドアーの一部に設けた回転軸を中心に可動するハンドルと、ハンドルの回転軸を中心に可動する動きに連動して上下方向にスライドする凸部を有する本体との勘合部材（ドアーキー）と、ドアーキーをスライド可能にするバネと、ドアーキーにより直接・間接的にＯＮ・ＯＦＦする複数のスイッチを配置した本体勘合部材（ドアーフック）とを備え、前記ドアフックに固定された１個以上のスイッチはドアーと本体が保持された状態でＯＮ・ＯＦＦし、スイッチドアーキーの凸部先端のフックとの係合部をドアーの上下方向の摺動と略平行になるように設け、ハンドルを引っぱることによりドアーキーを上下方向にスライドさせ本体に設けたフックとの勘合を解除する構成にすることにより電波漏洩に対して全く心配のない、誰でも指一本で簡単に開閉できる操作性に優れた機器を提供することを目的とする。
【課題を解決するための手段】
【０００６】
前記従来の課題を解決するために、本発明の高周波加熱装置のドアー開閉機構は、ドアーの一部に設けた回転軸を中心に可動するハンドルと、ハンドルの回転軸を中心に可動する動きに連動して上下方向にスライドする凸部を有する本体との勘合部材（ドアーキー）と、ドアーキーをスライド可能にするバネと、ドアーキーにより直接・間接的にＯＮ・ＯＦＦする複数のスイッチを配置した本体勘合部材（ドアーフック）とを備え、前記フックに固定された１個以上のスイッチはドアーと本体が保持された状態でＯＮ・ＯＦＦし、ドアーキーの凸部先端とドアーフックとの係合部をドアーの上下方向の摺動と略平行になるように設け、ハンドルを引っぱることによりドアーキーを上下方向にスライドさせフックとの勘合を解除する構成としたものである。
【０００７】
これによって、ハンドルを引っ張るとドアーの一部に設けた回転軸を中心に回動する動きに連動し、ドアーキーを上下方向にスライドさせスイッチをＯＦＦし動作を停止するが、この時ドアーは本体と保持された状態を維持しており、かつ係合部がドアーの上下方向の摺動と略平行になっているのでドアーと本体間に隙間は発生しない。
【０００８】
したがって、発振が停止した状態ではドアーは全く開くことがないため、ドアー開途中時電波漏洩の全く心配のない安全かつ操作性のよい機器を提供できる。
【発明の効果】
【０００９】
本発明の高周波加熱機器のドアー開閉装置は、ドアー開閉途中の電波漏洩の心配のない安全かつ軽い力で簡単に開閉できる操作性に優れた機器を提供することができる。
【発明を実施するための最良の形態】
【００１０】
本発明の高周波加熱装置のドアー開閉機構は、被加熱物を調理する本体と、被加熱物を出し入れする横開きのドアーと、前記ドアーの一部に設けた回転軸を中心に可動するハンドルと、前記ハンドルの回転軸を中心に可動する動きに連動して上下方向にスライドする凸部を有する本体との勘合部材（ドアーキー）と、前記ドアーキーをスライド可能にするバネと、前記ドアーキーにより直接・間接的にＯＮ・ＯＦＦする複数のスイッチを配置した本体勘合部材（ドアーフック）とを備え、前記スイッチはドアーと本体が保持された状態でＯＮ・ＯＦＦし、ドアーキーの凸部先端とフックとの係合部をドアーの上下方向の摺動と略平行になるように設け、ハンドルを引っぱることによりドアーキーを上下方向にスライドさせ本体に設けたドアーフックとの勘合を解除する構成としたものである。
【００１１】
これによって、ハンドルを引っ張るとドアーの一部に設けた回転軸を中心に回動する動きに連動し、ドアーキーを上下方向にスライドさせスイッチをＯＦＦし動作を停止するが、この時ドアーは本体と保持された状態を維持しており、かつ係合部がドアーの上下方向の摺動と略平行になっているのでドアーと本体間に隙間は発生しない。
【００１２】
したがって、発振が停止した状態ではドアーは全く開くことがないため、ドアー開時電波漏洩の全く心配のない安全かつ操作性のよい機器を提供できる。
【００１３】
以下、本発明の実施の形態について、図面を参照しながら説明する。なお、この実施の形態によって本発明が限定されるものではない。
【００１４】
（実施の形態１）
図１は、本発明の第１の実施形態における高周波加熱機器のドアー開閉装置のドアー閉時の要部断面図、図２は、本発明の第１の実施形態における高周波加熱機器の全体図、図３は、本発明の第１の実施形態における高周波加熱機器のドアー開閉装置のドアー閉要部詳細図、図４は、本発明の第１の実施形態における高周波加熱機器のドアー半開要部詳細図を示すものである。
【００１５】
図１から４において、高周波加熱装置は本体１２と食品を収納する加熱室１３と加熱室１３を閉じるドアー１と操作部１４からなり、ドアー１には本体１２と閉状態を維持するためドアーキー３が、本体１２側にはドアーフック４が設けられている。ドアーキー３はドアーバネ１０によって上方に作用するようにドアー１上部１ａに一端を、他端をドアーキー３に引っ掛け、電波漏洩防止機能を有した板金１５側面の長穴１５ａに摺動可能に引っ掛けてある。ドアーバネ１０はドアーキー３の突起部３ｂの先端とフックスペーサー５の摩擦抵抗、ドアーキー３と電波漏洩防止機能を有した板金１５側面間での接触抵抗を受けつつスイッチ９をＯＮする（ＯＮ荷重２００ｇ）必要があるため、スイッチのＯＮ荷重に対して余裕を持った引き込み力に設定してある。
【００１６】
ドアーキー３は板金１５との間で摺動面する。ドアー１の下部にはハンドル２がハンドル２の支点２ａを中心に回動するよう取り付けてあり、ハンドルバネ１６によって上方に作用するようにドアー１の爪１ｂに一端を、他端をハンドル２に引っ掛けてある。またハンドル２の手掛かり部２ｂと支点２ａを結ぶ直線から略９０℃の位置に突起２ｃが設けてある。
【００１７】
一方、ドアーキー３にはハンドル２の突起２ｃを覆うように凹部があり、突起２ｃの動作方向に近接して接触面３ａを有している。またドアーキー３にはドアーフック４側に向け２個の突起部３ｂ、３ｃがドアー１に中央から略均等に設けてあり先端には上向きの勘合部を有している。この勘合部はドアーキー３の上下方向の摺動と略並行に突出させている。
【００１８】
本体１２側に配置されたドアーフック４にはドアーキー３の勘合部３ｂ，３ｃに対応する位置になだらかな傾斜を持った開口４ｂ、４ｃを設けてある。ドアーフック４にはドアー１の開閉を検知するスイッチ７，８，９が取り付けてあり、スイッチ７，８はフックスペーサー５を介しドアーキー３の突起部３ｂの先端、スイッチ９はドアーキー３の突起部３ｃの先端に設けた勘合部の先端で直接ＯＮ・ＯＦＦする構成としている。スックスペーサー５は支点５ａを回転軸とし、一片をドアーキー３の突起部３ｂの先端で押し、他端でスイッチ８をＯＮさせる。支点５ａとドアーキー３の突起部３ｂが接触する一片までの距離を支点５ａからスイッチ８をＯＮさせる他端の距離の２倍程度取ってある。スイッチ７の動作用ボタンはスペーサー５の支点５ａに向けて取り付けてある。
【００１９】
本体１２へのドアーフック４の取り付けはドアー１のガタ等が発生しないようビスにより調整して取り付ける構成（図示せず）としている。
【００２０】
以上のように構成された高周波加熱機器のドアー開閉装置について、以下その動作、作用を説明する。
【００２１】
まず、ドアー１の閉じた状態ではハンドル２はハンドルバネ１６によって上方に作用するようにしてあり常に所定の位置にガタ等の発生もなく安定して取り付けることが出来る。またハンドル２の突起２ｃとドアーキー３の接触面３ａ間に隙間を持たしているため多少の部品・組み立てバラツキは吸収できる構成としている。
【００２２】
次に、ハンドル２の手掛かり部２ｂに手を掛け引っ張ると支点２ａを回転軸としハンドル２の突起２ｃ部が可動し、ハンドル２の突起２ｃでドアーキー３の接触面３ａを下方に押し下げる。
【００２３】
さらに、ハンドル２を引っ張り続けると、スイッチ９の動作ボタンがＯＦＦするがこの時ドアーフック４のドアーキー３の勘合部３ｂ，３ｃに対応する位置になだらかな傾斜を持った開口４ｂ、４ｃからドアーキー３の突起部３ｂ、３ｃ先端の上向きの勘合部は外れていない。またこの勘合部はドアーキー３の上下方向の摺動と略並行に突出させているのでスイッチ９がＯＦＦした時点ではドアー１は全く開いていないこととなる。従って、高周波加熱機器が動作中でドアー１が少しでも開いた時にはすでに高周波の発振が停止していることとなる。さらにハンドル２を引っ張り続けると、ドアーフック４のドアーキー３の勘合部３ｂ，３ｃに対応する位置になだらかな傾斜を持った開口４ｂ、４ｃからドアーキー３の突起部３ｂ、３ｃ先端の上向きの勘合部が外れ、ドアー１を開くことが出来る。
【００２４】
以上のように、本実施の形態においては、ドアー開閉装置のフックに固定した複数個のスイッチを、ドアーキーの一部で直接・間接的にＯＮ・ＯＦＦさせる構成とし、ドアーフックに固定された少なくとも１個以上のスイッチはドアーと本体が保持された状態でＯＮ・ＯＦＦし、ドアーキーの本体フックとの係合は上下方向の摺動と略平行になるように設けることにより、発振が停止した状態ではドアーは全く開くことがないため、ドアー開時電波漏洩の心配のない安全な機器を提供できる。
【産業上の利用可能性】
【００２５】
以上のように、本発明にかかる高周波加熱機器のドアー開閉装置は、非常に軽い力で簡単にドアーの開閉が可能となるので、電熱加熱付高周波加熱装置にも適用できる。
【図面の簡単な説明】
【００２６】
【図１】本発明の実施の形態１における高周波加熱機器のドアー開閉装置のドアー閉時の要部断面図
【図２】本発明の実施の形態１における高周波加熱機器の全体図
【図３】本発明の実施の形態１における高周波加熱機器のドアー開閉装置のドアー閉要部詳細図
【図４】本発明の実施の形態１における高周波加熱機器のドアー開閉装置のドアー半開要部詳細図
【図５】従来のドアーキー及びドアーフックの要部拡大図
【符号の説明】
【００２７】
１  ドアー
２  ハンドル
２ａ  支点（回転軸）
３  ドアーキー
３ｂ、３ｃ  突起部（凸部）
４  ドアーフック
７、８、９  スイッチ
１２  本体
【図１】
2006226566.tif 000003
【図２】
2006226566.tif 000004
【図３】
2006226566.tif 000005
【図４】
2006226566.tif 000006
【図５】
2006226566.tif 000007